(57)【要約】      （修正有）【課題】使用する際に便利で、美しい外観を有し、且つ電力を節約できるタッチ式透明キーボードを提供する。【解決手段】本タッチ式透明キーボードは、タッチパレット１０と、該タッチパレットの下方に設けられる透明基板３０とを備える。前記透明基板には、複数のキーアイコン３４が設けられている。前記キーアイコンは、夜光材料からなり且つ前記タッチパレットを透過して表示される。【選択図】図１
0003169217.tif 000002
【実用新案登録請求の範囲】
【請求項１】
タッチパレットと、前記タッチパレットの下方に設けられる透明基板と、を備えるタッチ式透明キーボードであって、
前記透明基板には、複数のキーアイコンが設けられており、前記キーアイコンは、夜光材料からなり且つ前記タッチパレットを透過して表示されることを特徴とするタッチ式透明キーボード。
【請求項２】
タッチパレットと、前記タッチパレットの下方に設けられる透明基板と、を備えるタッチ式透明キーボードであって、
前記タッチパレットには、夜光材料からなる複数のキーアイコンが設けられていることを特徴とするタッチ式透明キーボード。
【請求項３】
前記夜光材料は、硫化カルシウム、硫化亜鉛或いは硫化ストロンチウムからなり、且つ外部からの光エネルギーを吸収してから緩やかに放出することを特徴とする請求項１又は２に記載するタッチ式透明キーボード。
【請求項４】
前記タッチパレットは、透明保護層、第一導電層、透明基体及び第二導電層が上から下に順次積層されてなり、
前記透明保護層はシリカからなり、前記第一導電層及び第二導電層はインジウム錫酸化物からなり、前記透明基体はガラス板からなることを特徴とする請求項１から３の何れか一項に記載するタッチ式透明キーボード。
【請求項５】
複数の前記キーアイコンは、前記タッチパレットの透明保護層の上面に形成され、且つ前記キーアイコンの上には透明耐摩耗層が被覆されていることを特徴とする請求項２に記載するタッチ式透明キーボード。
【考案の詳細な説明】
【技術分野】
【０００１】
本考案は、タッチ式キーボードに関し、特にタッチ式透明キーボードに関するものである。
【背景技術】
【０００２】
キーボードは、主な入力デバイスとして、電子装置にとって不可欠な外付け部品である。従来のキーボードは、殆んど複数の独立したキー支持部及びキートップから構成される。前記キーボードを利用して情報を入力する場合、大きな力でそのキートップをクリックしなければならない。長時間クリックすると、ユーザーは疲労を感じ易い。また一方、暗い環境でもキートップの上面に形成されたキーアイコンを視認できるようにするため、通常透明材料で前記キートップを形成し、且つ前記キートップの下方に発光素子を設ける。暗い環境で前記キーボードを使用する場合、前記発光素子を起動して、各キートップのキーアイコンが明るく光る。しかし、このタイプのキーボードは、消費電力が高いという欠点があり、省エネルギーすることができない。
【考案の概要】
【考案が解決しようとする課題】
【０００３】
本考案は、上記の問題点を考慮してなされたものであり、使用する際に便利で、美しい外観を有し、且つ電力を節約できるタッチ式透明キーボードを提供することを目的とする。
【課題を解決するための手段】
【０００４】
上記の目的を達成するために、本考案に係るタッチ式透明キーボードは、複数のキーアイコンが設けられた透明基板と、前記透明基板に貼着されるタッチパレットと、を備える。前記キーアイコンは、夜光材料からなり、且つ前記タッチパレットを透過して表示する。
【０００５】
また、上記の目的を達成するために、本考案に係るタッチ式透明キーボードは、タッチパレットと、前記タッチパレットの下方に設けられる透明基板と、を備える。前記タッチパレットには、夜光材料からなる複数のキーアイコンが設けられている。
【考案の効果】
【０００６】
従来の技術と比較して、本考案のタッチ式透明キーボードは、タッチパレット部材を採用するため、ユーザーはキートップをクリックすることなく情報を入力することが可能であり、使用する際に便利である。また、前記タッチ式透明キーボードのキーアイコンは表示パネルから吸収した光エネルギーを利用して自発的に発光することができるので、電力を節約する目的を達成できる。また、前記タッチ式透明キーボードの全体が透明であり、美しい外観を有する。
【図面の簡単な説明】
【０００７】
【図１】本考案の実施形態に係るタッチ式透明キーボードの分解図である。
【図２】図１に示したタッチ式透明キーボードのタッチパレットの断面構造を示す図である。
【図３】図１に示したタッチ式透明キーボードの透明基板の背面図である。
【図４】図１に示したタッチ式透明キーボードが通電する際の使用状態図である。
【考案を実施するための形態】
【０００８】
図１に示したように、本考案の好適な実施形態に係るタッチ式透明キーボード１００は、コンピューター或いはプリンターなどの電子装置の入力設備として使用され、タッチパレット１０及び透明基板３０を備える。前記タッチパレット１０は、前記透明基板３０の上面に接合される。
【０００９】
図２を参照すると、前記タッチパレット１０は、透光性を有し且つ透明な静電容量式タッチパレットであって、透明保護層１２、第一導電層１４、透明基体１６、第二導電層１７、電源線１８及び制御モジュール１９を備える。前記透明保護層１２、第一導電層１４、透明基体１６及び第二導電層１７は、上から下に順次積層して配置されている。本実施形態において、前記透明保護層１２は、シリカ或いはポリエチレンテレフタレート（ＰＥＴ）薄膜から製作されてなる。前記第一導電層１４は、位置を測定するための機能層として、インジウム錫酸化物（ＩＴＯ)、アルミニウム酸化物添加亜鉛酸化物（ＺＡＯ)或いは酸化カドミウム（ＣｄＯ）などの透明導電材料からなる。前記透明基体１６は、ガラス板或いは透明プラスチック板である。前記第二導電層１７も透明導電材料からなり、この第二導電層１７はマスキング層として、前記タッチパレット１０が静電気或いは電磁波に干渉されることを防ぎ、前記タッチパレット１０に理想的な動作環境を提供する。前記電源線１８は、前記タッチパレット１０の側辺に電気的に接続される。前記制御モジュール１９は集積チップであって、前記電源線１８上に固定され、且つ軟性ケーブル（図示せず）を介して前記第一導電層１４、第二導電層１７及び前記電源線１８に電気的に接続される。ユーザーの指先が前記タッチパレット１０の透明保護層１２に接触する瞬間に、指先と前記タッチパレット１０との間には静電容量が発生する。従って、前記制御モジュール１９は、電流の変化を測定して、接触位置の座標を判断すると共に対応する指令情報を発生させて、且つこの指令情報をコンピューターなどの端末設備に伝送する。
【００１０】
図３に示したように、前記透明基板３０は、ガラス或いは透明樹脂などの材料からなり、且つ全体が略弧状を呈し、中部が僅かに窪んでいる。前記透明基板３０は、互いに対向する第一表面３２及び第二表面３３を有する。前記タッチパレット１０の透明保護層１２から離れている片側は、前記透明基板３０の第一表面３２に貼着される。
【００１１】
前記透明基板３０の第一表面３２には、複数のキーアイコン３４が形成されている。本実施形態において、前記キーアイコン３４は、夜光材料（暗い環境で発光できる材料）を採用して、ペンキを吹き付け、或いは印刷によって形成される。好ましくは、前記キーアイコン３４は、硫化カルシウム（ＣａＳ）、硫化亜鉛（ＺｎＳ）或いは硫化ストロンチウム（ＳｒＳ）からなる。前記キーアイコン３４は、コンピューターの表示パネル（図示せず）から出射した光線を吸収して、蓄積した光エネルギーを緩やかに放出するので、暗い環境においても、ユーザーが前記キーアイコン３４を視認できる。しかも、コンピューターの表示パネルを長時間使用する過程において、前記キーアイコン３４は、前記表示パネルが出射した光線を絶えずに吸収するので持続的に発光することが可能である。
【００１２】
前記キーアイコン３４の配列及び標示内容を、実際の需要に応じて英文アルファベット、漢字或いは平仮名などに変更することができる。前記キーアイコン３４の情報（例えば、「Ｋ」キーの座標範囲情報及び対応する指令情報）は、予め前記タッチパレット１０の制御モジュール１９内に格納され、且つ前記タッチパレット１０のタッチされる位置にそれぞれ対応している。
【００１３】
前記第二表面３３における前記透明基板３０の片側の長辺には、前記透明基板３０の長さに等しく且つ逆三角形を呈する透明支持体３６が突設されている。前記透明支持体３６が存在するため、前記タッチ式透明キーボード１００が卓上に設置されると、略傾斜状態になる。
【００１４】
図４に示したように、暗い環境で前記タッチ式透明キーボード１００を利用する場合、前記キーアイコン３４は、コンピューターの表示パネル（図示せず）から出射する光線を吸収して、前記タッチパレット１０を介して蓄積した光エネルギーを緩やかに放出する。この際、ユーザーは前記タッチパレット１０をタッチすると、前記制御モジュール１９がタッチされた位置を検知すると共に、その座標情報を記録して、前記座標情報と予め格納された前記キーアイコン３４の座標範囲情報とを比較して、前記タッチされた位置に対応する指令情報を出力する。
【００１５】
本考案の実施形態から明らかなように前記タッチ式透明キーボード１００は、タッチパレット部材を採用するため、ユーザーはキートップをクリックすることなく情報を入力することが可能であり、使用する際に便利である。また、前記タッチ式透明キーボード１００のキーアイコン３４は暗い環境で表示パネルから吸収した光エネルギーを利用して自発的に発光することができるので、電力を節約する目的を達成できる。また、前記タッチ式透明キーボード１００の全体が透明であり、美しい外観を有する。
【００１６】
前記キーアイコン３４を前記透明基板３０の第二表面３３に形成してもよい。
【００１７】
前記キーアイコン３４は、紫外線、太陽光、白熱照明光などの光エネルギーを吸収することができる。
【００１８】
前記キーアイコン３４を前記タッチパレット１０の透明保護層１２の上面に形成してもよい。使用する過程に、前記キーアイコン３４が摩損されて脱落することを防止するために、その上に透明耐摩耗層を被覆することが好ましい。
【００１９】
以上、本考案の好適な実施形態について詳細に説明したが、本考案は前記実施形態に限定されるものではなく、本考案の範囲内で種々の変形又は修正が可能であり、該変形又は修正も、本考案の特許請求の範囲内に含まれるものであることは、言うまでもない。
【符号の説明】
【００２０】
１０        タッチパレット
１２        透明保護層
１４        第一導電層
１６        透明基体
１７        第二導電層
１８        電源線
１９        制御モジュール
３０        透明基板
３２        第一表面
３３        第二表面
３４        キーアイコン
３６        透明支持体
１００      タッチ式透明キーボード
【図１】
0003169217.tif 000003
【図２】
0003169217.tif 000004
【図３】
0003169217.tif 000005
【図４】
0003169217.tif 000006